(57)【特許請求の範囲】
【請求項１】
ネットワークを介して接続した、ポスティング業務仲介事業の運営者が有する管理サーバーと、ポスティング依頼企業が有する企業端末と、ポスティング作業を行う配布者が有する配布者端末と、顧客が有する顧客端末と、を含むポスティング業務仲介システムであって、
前記企業端末は、前記管理サーバーへ業務依頼情報を送信し、
前記管理サーバーは、前記企業端末から前記業務依頼情報を受信した場合には、当該業務依頼情報を、前記管理サーバーに予め記憶された前記配布者端末に送信し、
前記配布者端末は、前記管理サーバーから前記業務依頼情報を受信した場合には、当該業務依頼情報を前記配布者端末に表示し、
前記配布者端末は、前記配布者により選択された業務選択情報を前記管理サーバーに送信し、
前記管理サーバーは、前記配布者端末より前記業務選択情報を受信した場合には、前記企業端末へ前記配布者端末の識別情報を含む配布者情報を送信し、
前記ポスティング依頼企業は、前記識別情報を付したチラシを印刷して前記配布者に送付し、前記配布者は前記顧客へ前記チラシを配布するポスティング作業を実施し、
前記顧客が前記チラシの内容に興味がある場合には、前記顧客端末は、前記顧客端末に入力された問い合わせ情報と当該チラシに付された前記識別情報とを前記管理サーバーに送信し、
前記管理サーバーは、前記顧客端末から前記問い合わせ情報と前記識別情報とを受信した場合には、前記企業端末と前記識別情報に対応する前記配布者端末とに成果報告情報を送信し、
前記企業端末は、前記成果報告情報に基づいて報酬額を算出し、当該報酬額を前記識別情報に対応する前記配布者端末へ送信する、
ポスティング業務仲介システム。
【請求項２】
前記管理サーバーは、前記業務依頼情報に含まれた配布エリアと前記配布者情報に含まれた配布者の住所が重複する配布者端末に対して、前記業務依頼情報を送信する、請求項１に記載のポスティング業務仲介システム。
【請求項３】
前記管理サーバーは、前記配布者端末の識別情報を二次元コード化して、前記企業端末へ送信し、
前記企業端末は、前記二次元コード化された前記識別情報を付したチラシを印刷する、請求項１または２に記載のポスティング業務仲介システム。
【請求項４】
前記管理サーバーは、前記配布者端末へ、チラシ配布の成果を上げるためアドバイス情報を送信する、請求項１から３のいずれかに記載のポスティング業務仲介システム。
【請求項５】
前記企業端末と前記配布者端末は、各々の操作パネルに前記成果報告情報を表示する、請求項１から４のいずれかに記載のポスティング業務仲介システム。
【請求項６】
前記管理サーバーは、前記成果報告情報に基づいて、前記配布者情報の実績情報を更新し、
前記配布者情報の実績情報に基づいて、前記管理サーバーは、前記業務依頼情報を送信する前記配布者端末を決定し、
前記配布者情報の実績情報に基づいて、前記企業端末は、前記チラシを送付する前記配布者端末を決定する、請求項１から５のいずれかに記載のポスティング業務仲介システム。
【請求項７】
ネットワークを介して接続した、ポスティング業務仲介事業の運営者が有する管理サーバーと、ポスティング依頼企業が有する企業端末と、ポスティング作業を行う配布者が有する配布者端末と、顧客が有する顧客端末と、を含むポスティング業務仲介システムに用いられる管理サーバーであって、
前記企業端末から業務依頼情報を受信した場合には、当該業務依頼情報を、前記管理サーバーに予め記憶された前記配布者端末に送信し、
前記配布者端末より業務選択情報を受信した場合には、前記企業端末へ前記配布者端末の識別情報を含む配布者情報を送信し、
前記ポスティング依頼企業は、前記識別情報を付したチラシを印刷して前記配布者に送付し、前記配布者は前記顧客へ前記チラシを配布するポスティング作業を実施し、
前記チラシの内容に興味がある前記顧客の前記顧客端末からチラシへの問い合わせ情報と前記識別情報とを受信した場合には、前記企業端末と前記識別情報に対応する前記配布者端末とに、成果報告情報を送信し、
前記ポスティング依頼企業は、前記成果報告情報に基づいて報酬額を算出し、当該報酬額を前記配布者に支払う、
管理サーバー。
【請求項８】
ネットワークを介して接続した、ポスティング業務仲介事業の運営者が有する管理サーバーと、ポスティング依頼企業が有する企業端末と、ポスティング作業を行う配布者が有する配布者端末と、顧客が有する顧客端末と、を含むシステムで実行されるポスティング業務仲介方法であって、
前記管理サーバーは、前記企業端末から業務依頼情報を受信した場合には、当該業務依頼情報を、前記管理サーバーに予め記憶された前記配布者端末に送信し、
前記管理サーバーは、前記配布者端末より業務選択情報を受信した場合には、前記企業端末へ前記配布者端末の識別情報を含む配布者情報を送信し、
前記ポスティング依頼企業は、前記識別情報を付したチラシを印刷して前記配布者に送付し、前記配布者は前記顧客へ前記チラシを配布するポスティング作業を実施し、
前記管理サーバーは、前記チラシの内容に興味がある前記顧客の前記顧客端末からチラシへの問い合わせ情報と前記識別情報とを受信した場合には、前記企業端末と前記識別情報に対応する前記配布者端末とに、成果報告情報を送信し、
前記ポスティング依頼企業は、前記成果報告情報に基づいて報酬額を算出し、当該報酬額を前記配布者に支払う、
ポスティング業務仲介方法。
【発明の詳細な説明】
【技術分野】
【０００１】
この明細書に記載の実施形態は、ポスティング業務を仲介する技術に関する。
【背景技術】
【０００２】
チラシの配布（いわゆるポスティング）を業者に依頼する場合には、例えば、1万枚の配布で総額5万円等の費用が発生する。しかしながら、ポスティングの効果はなかなか上がらず、費用対効果の点で中小企業の重荷となっていた。
【０００３】
ポスティングの効果が上がらない理由としては、配布者は、例えば１枚当たり2円、時給1000円で500枚配布などのノルマに基づいてチラシを配布するため、チラシ配布対象の人からの反応を考慮せず、単にチラシを数多く配布すればよいという考えで配布作業が行われている実態がある。
【０００４】
また、一定の割合でチラシが配布されてない、配布先を指定するセグメント配布においても指定先に配布されていない、などの不正が行われている可能性も考えられる。したがって、不正を排除し、ポスティングの効果を高めるには、従来の配布枚数に基づく報酬体系を見直す必要がある。
【０００５】
また、近年、健康づくりの一環として、ジョギングやウォーキングを行う高齢者等が増えている。そのような人の健康づくりのついでに、ポスティングを依頼できれば、ポスティングの費用を安くできる可能性があり、さらに、ジョギングやウォーキングを継続する動機づけにもなる。しかしながら、チラシ配布のノルマがある場合には、健康づくりのついで、という訳にはいかず、わざわざポスティングをしようと考える人は少なくなる。
【０００６】
従来技術には、配布依頼者のジョブ登録装置と広告サービス事業者の広告サーバーとがネットワークを介して接続した広告配布システムがある（例えば、特許文献１参照）。
【先行技術文献】
【特許文献】
【０００７】
【特許文献１】特開2014-232416公報
【発明の概要】
【発明が解決しようとする課題】
【０００８】
上記技術によれば、デジタル複合機やＭＦＰ（Multi-Function Peripherals）がシステムに必須であり、操作が難しいことから高齢者等に依頼しにくく、システム構成も複雑となる。
【０００９】
そこで、本発明は、履歴書郵送や企業での面接などのポスティングに至るまでの過程を簡略化することにより、高齢者等へ依頼しやすく、さらに、完全成果報酬にすることにより、ポスティングの効果を高めることが可能なポスティング業務仲介システム、管理サーバー、端末、及び、方法を提供する。
【課題を解決するための手段】
【００１０】
本発明は、ネットワークを介して接続した、ポスティング仲介事業の運営者が有する管理サーバーと、ポスティング依頼企業が有する企業端末と、ポスティング作業を行う配布者が有する配布者端末と、顧客が有する顧客端末と、を含むポスティング業務仲介システムであって、企業端末は、管理サーバーへ業務依頼情報を送信し、管理サーバーは、企業端末から業務依頼情報を受信した場合には、当該業務依頼情報を、管理サーバーに予め記憶された配布者端末に送信し、配布者端末は、管理サーバーから業務依頼情報を受信した場合には、当該業務依頼情報を配布者端末の操作パネルに表示し、配布者端末は、配布者により選択された業務選択情報を管理サーバーに送信し、管理サーバーは、配布者端末より業務選択情報を受信した場合には、企業端末へ配布者端末の識別情報を含む配布者情報を送信し、ポスティング依頼企業は、識別情報を付したチラシを印刷して配布者に送付し、配布者は顧客へチラシを配布するポスティング作業を実施し、顧客がチラシの内容に興味がある場合には、顧客端末は、顧客端末の操作パネルから入力された問い合わせ情報と当該チラシに付された識別情報とを管理サーバーに送信し、管理サーバーは、顧客端末から問い合わせ情報と識別情報とを受信した場合には、企業端末と識別情報に対応する配布者端末とに成果報告情報を送信し、企業端末は、成果報告情報に基づいて報酬額を算出し、報酬額を識別情報に対応する配布者端末へ送信するポスティング業務仲介システムである。
【００１１】
本発明は、ネットワークを介して接続した、ポスティング業務仲介事業の運営者が有する管理サーバーと、ポスティング依頼企業が有する企業端末と、ポスティング作業を行う配布者が有する配布者端末と、顧客が有する顧客端末と、を含むポスティング仲介システムに用いられる管理サーバーであって、企業端末から業務依頼情報を受信した場合には、当該業務依頼情報を、管理サーバーに予め記憶された配布者端末に送信し、配布者端末より業務選択情報を受信した場合には、企業端末へ配布者端末の識別情報を含む配布者情報を送信し、ポスティング依頼企業は、識別情報を付したチラシを印刷して配布者に送付し、配布者は顧客へチラシを配布するポスティング作業を実施し、チラシの内容に興味がある顧客の顧客端末からチラシへの問い合わせ情報と識別情報とを受信した場合には、企業端末と識別情報に対応する配布者端末とに、成果報告情報を送信し、ポスティング依頼企業は、成果報告情報に基づいて報酬額を算出し、報酬額を配布者に支払う管理サーバーである。
【００１３】
本発明は、ネットワークを介して接続した、ポスティング業務仲介事業の運営者が有する管理サーバーと、ポスティング依頼企業が有する企業端末と、ポスティング作業を行う配布者が有する配布者端末と、顧客が有する顧客端末と、を含むシステムで実行されるポスティング業務仲介方法であって、管理サーバーは、企業端末から業務依頼情報を受信した場合には、当該業務依頼情報を、管理サーバーに予め記憶された配布者端末に送信し、管理サーバーは、配布者端末より業務選択情報を受信した場合には、企業端末へ配布者端末の識別情報を含む配布者情報を送信し、ポスティング依頼企業は、識別情報を付したチラシを印刷して配布者に送付し、配布者は顧客へチラシを配布するポスティング作業を実施し、管理サーバーは、チラシの内容に興味がある顧客の顧客端末からチラシへの問い合わせ情報と識別情報とを受信した場合には、企業端末と識別情報に対応する配布者端末とに、成果報告情報を送信し、ポスティング依頼企業は、成果報告情報に基づいて報酬額を算出し、報酬額を配布者に支払うポスティング業務仲介方法である。
【発明の効果】
【００１４】
本発明のポスティング業務仲介システムによれば、高齢者等へ依頼しやすく、さらに、ポスティングの効果を高めることが可能となる。
【図面の簡単な説明】
【００１５】
【図１】システム構成例を示す図。
【図２】管理サーバーのブロック図。
【図３】業務依頼情報の内容を示す図。
【図４】配布者情報の内容を示す図。
【図５】企業端末のブロック図。
【図６】配布者端末のブロック図。
【図７】顧客端末のブロック図。
【図８】ポスティング業務仲介処理のフローチャート。
【図９】配布者端末の表示画面を示す図。
【図１０】識別情報が印刷されたチラシを示す図。
【図１１】顧客端末の表示画面を示す図。
【発明を実施するための形態】
【００１６】
実施形態のシステム構成例を図１に示す。ポスティング業務仲介システム１は、ポスティング業務仲介事業の運営者が有する管理サーバー１００と、ポスティング業務を依頼する企業が有する企業端末２００（２０１〜２０３）と、ポスティングバイト希望のランナーや高齢者が所有する配布者端末３００（３０１〜３０３）と、チラシを見て問い合わせを行う顧客端末４００（４０１、４０２）を含む。なお、管理サーバー１００と企業端末２００と配布者端末３００と顧客端末４００との数は、図１に記載の数に限定されるものではない。
【００１７】
ポスティング業務仲介事業の運営者が有する管理サーバー１００の制御系の構成について説明する。図２は実施形態の管理サーバー１００のブロック図である。システムバス１０６を介して、ＣＰＵ１０２（Central Processing Unit）、ＲＯＭ（Read Only Memory）１０３、ＲＡＭ（Random Access Memory）１０４、及び、外部Ｉ／Ｆ（Interface）１０５が接続される。ＣＰＵ１０２とＲＯＭ１０３とＲＡＭ１０４とで制御部１０１を構成する。
【００１８】
ＲＯＭ１０３には、ＣＰＵ１０２により実行されるプログラムや閾値を予め記憶する。
【００１９】
ＲＡＭ１０４には、ＣＰＵ１０２が実行するプログラムを展開するエリアと、プログラムによるデータ処理の作業領域となるワークエリアなどの様々なメモリエリアを動的に形成する。
【００２０】
ＲＡＭ１０４は、企業端末からの業務依頼情報を保存する業務依頼情報記憶エリアを有する。業務依頼情報記憶エリアに記憶する業務依頼情報は、外部Ｉ／Ｆ１０５を通じて企業端末２００から受信を行う。業務依頼情報記憶エリアに記憶する業務依頼情報は、（１）企業情報：法人名、本店所在地、担当部署、担当者氏名、電話番号、（２）ポスティング内容：チラシ実物、配布エリア（例：横浜市戸塚区）、配布対象（例：ファミリー世帯）、配布時期（例：隔週で４回、木曜又は金曜日など）、成果報酬額（例：問い合わせ１件当たり1000円）、有効期限（例：2020年4月1日まで）、成果（例：問い合わせ件数又は注文件数）、及び、配布枚数（例：1000枚）などを含む（図３）。
【００２１】
ＲＡＭ１０４は、登録されている配布者に関する配布者情報を保存する配布者情報記憶エリアを有する。配布者情報記憶エリアに記憶する配布者情報は、外部Ｉ／Ｆ１０５を通じて配布者端末３００から受信を行う。配布者情報は、（１）配布者情報：配布者の住所、氏名、性別、生年月日、電話番号、配布者固有の識別番号（識別情報）、及び、実績（配布枚数、成果率（問い合わせ又は注文）、獲得報酬、及び、これら成果を数値化したランキング等）を含む（図４）。なお、「実績」の情報（実績情報）は、制御部１０１が配布者の実績を蓄積することでもよい。
【００２２】
ＲＡＭ１０４は、配布者が効率的にチラシ配布作業をするためのアドバイス情報を保存するアドバイス情報記憶エリアを有する。
【００２３】
なお、業務依頼情報、配布者情報、及び、アドバイス情報を記憶する記憶手段はＲＯＭ、ＲＡＭに限られず、ＨＤＤ（ハードディスクドライブ）やＳＳＤ（ソリッドステートドライブ）であってもよい。
【００２４】
外部Ｉ／Ｆ１０５は、企業端末２００と配布者端末３００と顧客端末４００などの外部装置と通信するためのインターフェースである。外部Ｉ／Ｆ１０５は、外部装置とデータ通信を行うインターフェースであれば良い。例えば、外部Ｉ／Ｆ１０５は、外部装置にローカルに接続する機器（USBメモリ等）であっても良いし、ネットワークを介して通信するためのネットワークインターフェイスであっても良い。さらに、データ通信方式は、Wi‐Fi（登録商標）通信やUSB通信でもよい。
【００２５】
企業端末２００は、無線通信を可能にするネットワークインターフェイスを持ち、記憶媒体に保存されたプログラムをメモリへロードし、プログラムをＣＰＵで動作させることで、各機能を有効にする。
【００２６】
ポスティング業務を依頼する業者が有する企業端末２００の制御系の構成について説明する。企業端末２００は、例えば、スマートフォンやタブレット、ノート型・デスクトップ型コンピュータである。図５は実施形態の企業端末２００のブロック図である。システムバス２０７を介して、ＣＰＵ２０２、ＲＯＭ２０３、ＲＡＭ２０４、外部Ｉ／Ｆ２０５、及び、操作パネル２０６が接続される。ＣＰＵ２０２とＲＯＭ２０３とＲＡＭ２０４とで制御部２０１を構成する。
【００２７】
ＲＯＭ２０３には、ＣＰＵ２０２により実行されるプログラムや閾値を予め記憶する。
【００２８】
ＲＡＭ２０４には、ＣＰＵ２０２が実行するプログラムを展開するエリアと、プログラムによるデータ処理の作業領域となるワークエリアなどの様々なメモリエリアを動的に形成する。
【００２９】
なお、記憶手段はＲＯＭ、ＲＡＭに限られず、ＨＤＤ（ハードディスクドライブ）やＳＳＤ（ソリッドステートドライブ）であってもよい。
【００３０】
外部Ｉ／Ｆ２０５は、例えば、管理サーバー１００と配布者端末３００と顧客端末４００などの外部装置と通信するためのインターフェースである。外部Ｉ／Ｆ２０５は、外部装置とデータ通信を行うインターフェースであれば良い。例えば、外部Ｉ／Ｆ２０５は、外部装置にローカルに接続する機器（USBメモリ等）であっても良いし、ネットワークを介して通信するためのネットワークインターフェイスであっても良い。さらに、データ通信方式は、Wi‐Fi（登録商標）通信やUSB通信でもよい。
【００３１】
操作パネル２０６は、表示部とタッチパネルが一体化したユーザーインターフェースである。操作パネル２０６は、企業端末２００の本体の前面に配置され、タッチパネルを具備する表示部を有する。制御部２０１は、操作パネル２０６の表示部に表示する内容を制御する。操作パネル２０６は、タッチパネル入力した情報を制御部２０１へ出力する。操作パネル２０６から入力される各処理に関する情報は、処理情報としてＲＡＭ２０３の所定の領域に記憶される。
【００３２】
なお、ユーザーインターフェースは、操作パネルに限られず、ディスプレイと、キーボードやマウスやマイク等であってもよい。
【００３３】
配布者端末３００は、無線通信を可能にするネットワークインターフェイスを持ち、記憶媒体に保存されたプログラムをメモリへロードし、プログラムをＣＰＵで動作させることで、各機能を有効にする。
【００３４】
ポスティングバイト希望のランナーや高齢者が所有する配布者端末３００の制御系の構成について説明する。配布者端末３００は、例えば、スマートフォンやタブレット、ノート型コンピュータである。図６は実施形態の配布者端末３００のブロック図である。システムバス３０７を介して、ＣＰＵ３０２、ＲＯＭ３０３、ＲＡＭ３０４、外部Ｉ／Ｆ３０５、及び、操作パネル３０６が接続される。ＣＰＵ３０２とＲＯＭ３０３とＲＡＭ３０４とで制御部３０１を構成する。
【００３５】
ＲＯＭ３０３には、ＣＰＵ３０２により実行されるプログラムや閾値を予め記憶する。
【００３６】
ＲＡＭ３０４には、ＣＰＵ３０２が実行するプログラムを展開するエリアと、プログラムによるデータ処理の作業領域となるワークエリアなどの様々なメモリエリアを動的に形成する。
【００３７】
なお、記憶手段はＲＯＭ、ＲＡＭに限られず、ＨＤＤ（ハードディスクドライブ）やＳＳＤ（ソリッドステートドライブ）であってもよい。
【００３８】
外部Ｉ／Ｆ３０５は、例えば、管理サーバー１００と企業端末２００と顧客端末４００などの外部装置と通信するためのインターフェースである。外部Ｉ／Ｆ３０５は、外部装置とデータ通信を行うインターフェースであれば良い。例えば、外部Ｉ／Ｆ３０５は、外部装置にローカルに接続する機器（USBメモリ等）であっても良いし、ネットワークを介して通信するためのネットワークインターフェイスであっても良い。さらに、データ通信方式は、Wi‐Fi（登録商標）通信やUSB通信でもよい。
【００３９】
操作パネル３０６は、表示部とタッチパネルが一体化したユーザーインターフェースである。操作パネル３０６は、配布者端末３００の本体の前面に配置され、タッチパネルを具備する表示部を有する。制御部３０１は、操作パネル３０６の表示部に表示する内容を制御する。操作パネル３０６は、タッチパネル入力した情報を制御部３０１へ出力する。操作パネル３０６から入力される各処理に関する情報は、処理情報としてＲＡＭ３０３の所定の領域に記憶される。
【００４０】
なお、ユーザーインターフェースは、操作パネルに限られず、ディスプレイと、キーボードやマウスやマイク等であってもよい。
【００４１】
顧客端末４００は、無線通信を可能にするネットワークインターフェイスを持ち、記憶媒体に保存されたプログラムをメモリへロードし、プログラムをＣＰＵで動作させることで、各機能を有効にする。
【００４２】
チラシを見て問い合わせを行う顧客端末４００の制御系の構成について説明する。顧客端末４００は、例えば、スマートフォンやタブレット、ノート型コンピュータである。図７は実施形態の顧客端末４００のブロック図である。システムバス４０８を介して、ＣＰＵ４０２、ＲＯＭ４０３、ＲＡＭ４０４、外部Ｉ／Ｆ４０５、操作パネル４０６、及び、カメラ４０７が接続される。ＣＰＵ４０２とＲＯＭ４０３とＲＡＭ４０４とで制御部４０１を構成する。
【００４３】
ＲＯＭ４０３には、ＣＰＵ４０２により実行されるプログラムや閾値を予め記憶する。
【００４４】
ＲＡＭ４０４には、ＣＰＵ４０２が実行するプログラムを展開するエリアと、プログラムによるデータ処理の作業領域となるワークエリアなどの様々なメモリエリアを動的に形成する。
【００４５】
なお、記憶手段はＲＯＭ、ＲＡＭに限られず、ＨＤＤ（ハードディスクドライブ）やＳＳＤ（ソリッドステートドライブ）であってもよい。
【００４６】
外部Ｉ／Ｆ４０５は、例えば、管理サーバー１００と企業端末２００と配布者端末３００などの外部装置と通信するためのインターフェースである。外部Ｉ／Ｆ４０５は、外部装置とデータ通信を行うインターフェースであれば良い。例えば、外部Ｉ／Ｆ４０５は、外部装置にローカルに接続する機器（USBメモリ等）であっても良いし、ネットワークを介して通信するためのネットワークインターフェイスであっても良い。さらに、データ通信方式は、Wi‐Fi（登録商標）通信やUSB通信でもよい。
【００４７】
操作パネル４０６は、表示部とタッチパネルが一体化したユーザーインターフェースである。操作パネル４０６は、顧客端末４００の本体の前面に配置され、タッチパネルを具備する表示部を有する。制御部４０１は、操作パネル４０６の表示部に表示する内容を制御する。操作パネル４０６は、タッチパネル入力した情報を制御部４０１へ出力する。操作パネル４０６から入力される各処理に関する情報は、処理情報としてＲＡＭ４０３の所定の領域に記憶される。
【００４８】
なお、ユーザーインターフェースは、操作パネルに限られず、ディスプレイと、キーボードやマウスやマイク等であってもよい。
【００４９】
カメラ４０７は、ＣＭＯＳやＣＣＤ等の撮像素子である。カメラ４０７は、撮像したデータを制御部４０１へ出力する。カメラ４０７から入力される撮像データは、処理情報としてＲＡＭ４０３の所定の領域に記憶される。
【００５０】
以上のような構成を備える実施形態のポスティング業務仲介システム１（管理サーバー１００）において、システム内の各装置（管理サーバー１００）に予め設定されているプログラムに基づいて、ポスティング業務仲介システム１（管理サーバー１００）は、ポスティング業務仲介処理を実行する。図８は、実施形態のポスティング業務仲介処理のフローチャートである。
【００５１】
ポスティング業務を依頼する業者が有する企業端末２００は、管理サーバー１００（ポスティング業務仲介Webサイト運営専用のサーバー）に業務依頼情報を送信する（ＳＴＥＰ１）。
【００５２】
業務依頼情報の内容は、以下の通りである。
（１）企業情報：法人名、本店所在地、担当部署、担当者氏名、電話番号
（２）ポスティング内容：チラシ実物、配布エリア（例：横浜市戸塚区）、配布対象（例：ファミリー世帯）、配布時期（例：隔週で４回、木曜又は金曜日など）、成果報酬額（例；：問い合わせ１件当たり1000円）、有効期限（例：2020年4月1日まで）、成果（例：問い合わせ件数又は注文件数）、及び、配布枚数（例：1000枚）などである。
【００５３】
管理サーバー１００の制御部１０１は、企業端末２００から送信された業務依頼情報を外部Ｉ／Ｆ１０５により受信してＲＡＭ１０４の業務依頼情報記憶エリアに記憶する（ＳＴＥＰ２）。
【００５４】
管理サーバー１００の制御部１０１は、ＲＡＭ１０４の配布者情報記憶エリアにあらかじめ記憶されている配布者端末３００へ、業務依頼情報を外部Ｉ／Ｆ１０５により送信する（ＳＴＥＰ３）。配布者情報記憶エリアに記憶する配布者情報は、以下の通りである。
（１）配布者情報：配布者の住所、氏名、性別、生年月日、電話番号、配布者固有の識別ナンバー（識別情報）、及び、実績（配布枚数、成果率（問い合わせ又は注文）、獲得報酬、及び、これら成果を数値化したランキング等）
【００５５】
管理サーバー１００の制御部１０１は、業務依頼情報の配布エリアと配布者情報の配布者の住所が重複するランナーの配布者端末３００に対し、業務依頼情報を送信することでもよい。
【００５６】
管理サーバー１００の制御部１０１は、配布者情報の「実績」の情報を参照し、「実績」が所定値以上の複数のランナーを配布者として決定し、当該配布者端末３００に対し、業務依頼情報を送信することを決定することでもよい。
【００５７】
管理サーバー１００の制御部１０１は、配布者情報記憶エリアにあらかじめ記憶されている配布者の中から、業務内容を送信する「配布者」と「配布枚数（配布者へ納品する枚数）」を決める。そのために、「配布枚数」「成果率」「獲得報酬」などの「実績」を蓄積していく。管理サーバー１００の制御部１０１は、蓄積されたデータに基づいて、様々なランキングを公表してもよい。
【００５８】
配布者端末３００の制御部３０１は、管理サーバー１００から受信した業務依頼情報を、タッチパネルディスプレイ等である操作パネル３０６に表示する（ＳＴＥＰ４）。
【００５９】
図９は、配布者端末３００の操作パネル３０６に表示される表示画面を示す。操作パネル３０６の表示内容は以下の通りである。
（１）ポスティング内容：チラシ実物、配布エリア、配布対象、配布時期、配布枚数、成果報酬額などである。
（２）選択ボタン：配布者が業務を受任する際にタッチするボタンである。
【００６０】
配布者は、操作パネル３０６に表示された業務依頼書を閲覧して、受任業務を選定する。配布者が、業務を受任する場合には、配布者は、操作パネル３０６に表示された「選択ボタン」にタッチする。この時点で、業務契約が成立する。配布者が、操作パネル３０６に表示された「選択ボタン」にタッチした場合には、配布者端末３００の制御部３０１は、管理サーバー１００へ、業務選択情報を外部Ｉ／Ｆ３０５により送信する（ＳＴＥＰ５）。
【００６１】
管理サーバー１００の制御部１０１が、外部Ｉ／Ｆ１０５により、配布者端末３００から業務選択情報を受信した場合には、管理サーバー１００の制御部１０１は、ポスティング業務契約が成立したと判断する（ＳＴＥＰ６）。
【００６２】
管理サーバー１００が、配布者端末３００から業務選択情報を受信した場合には、ポスティング業務契約が成立したと判断し、管理サーバー１００の制御部１０１は、外部Ｉ／Ｆ１０５により、企業端末２００へ配布者情報（当該配布者の識別情報を含む）を送信する（ＳＴＥＰ６）。
【００６３】
この場合、管理サーバー１００の制御部１０１は、配布者端末３００の識別情報（識別番号や、バーコードや、二次元コード等）を生成し、配布者情報に含めて企業端末２００へ送信することでもよい。また、管理サーバー１００の制御部１０１は、配布者の識別情報と、管理サーバー１００にアクセスするためのＵＲＬと、を別々若しくはまとめて二次元コード化して、企業端末２００へ送信してもよい。
【００６４】
企業端末２００の制御部２０１は、外部Ｉ／Ｆ２０５により、受信した配布者情報を、操作パネル２０６に表示する（ＳＴＥＰ７）。企業は、配布者情報に記載の住所へ、チラシを印刷して所定枚数を送付する。なお、企業がチラシを印刷して配布者に送付するのではなく、企業が作成したチラシデータを企業端末２００が、配布者端末３００へ送信し、チラシデータを受信した配布者端末３００が接続した印刷部（不図示）により印刷することでもよい。
【００６５】
企業端末２００の制御部２０１は、受信した配布者情報の「実績（「配布枚数」、「成果率」、「獲得報酬」、「ランキング」等）の情報に基づいて、「実績」情報が所定値以上の配布者を選択するなどして、チラシを送付する配布者端末３００を決定することでもよい。
【００６６】
企業が作成するチラシには、チラシのいずれかの場所に、管理サーバー１００が生成した配布者固有の識別情報（識別番号や、バーコードや、二次元コード等）と管理サーバー１００にアクセスするためのＵＲＬとを印刷する。これら情報は二次元コード化してあってもよい（図１０）。なお、企業端末２００が接続した印刷部（不図示）によりチラシ（ＵＲＬと識別情報を含む）を印刷することでもよい。
【００６７】
企業からチラシを受け取った配布者は、自己のできる範囲でジョギングやウォーキングのついでにチラシの配布作業を行う（ＳＴＥＰ８）。
【００６８】
このとき、管理サーバー１００の制御部１０１は、配布者端末３００へ、外部Ｉ／Ｆ１０５により、チラシ配布の成果を上げるためアドバイス情報を送信してもよい。外部Ｉ／Ｆ３０５により、管理サーバー１００からアドバイスを受信した配布者端末３００の制御部３０１は、操作パネル３０６に、アドバイス情報を表示する。
【００６９】
アドバイス情報の内容は、例えば、近隣にどのような配布対象が多いのか（企業、ファミリー世帯、単身者など）、どのような年齢層が多いのか（学生、高齢者など）、何曜日に配布したら効果的か。時間帯は何時ごろが良いのか。どのような頻度で配布したら効果的か、等である。
【００７０】
配布者は、配布者端末３００の操作パネル３０６に表示されたアドバイスに基づいて、効率よくチラシ配布作業を行うことができる。これにより、健康づくりのついでにチラシを配布するようなチラシの配布の経験が少ない人でも、チラシ配布の効果を向上することができる。
【００７１】
チラシの配布を受けた顧客は、チラシを見て問い合わせを行う場合には、顧客が、顧客端末４００にチラシに記載されたＵＲＬ等を入力することにより、顧客端末４００は、管理サーバー１００にアクセスし、問い合わせ情報と識別情報を送信する（ＳＴＥＰ９）。
【００７２】
顧客端末４００の制御部４０１は、タッチパネルディスプレイ等である操作パネル４０６に、問い合わせ入力部と識別番号入力部と送信ボタンを表示する（図１１）。
【００７３】
チラシを受け取った顧客は、顧客端末４００の操作パネル４０６に、商品・サービスの問い合わせや注文を入力し、送信ボタンにタッチする。顧客は、問い合わせの際には、配布者固有の識別番号（識別情報）も操作パネル４０６から入力する。
【００７４】
顧客端末４００の制御部４０１は、操作パネル４０６から入力された、問い合わせ情報と識別情報を、外部Ｉ／Ｆ４０５により、管理サーバー１００へ送信する。
【００７５】
なお、顧客端末４００の操作パネル４０６からのＵＲＬや識別番号の入力に換えて、チラシに印刷された二次元コード（管理サーバーURLや識別情報をコードに変換したもの）を顧客端末４００のカメラ４０７で撮像（スキャン）することでもよい。撮像した二次元コードを制御部４０１へ出力し、制御部４０１は二次元コードをデコードしてＵＲＬや識別番号を抽出し、外部Ｉ／Ｆ４０５により、識別番号を管理サーバー１００へ送信する
【００７６】
なお、顧客からポスティング事業の運営者が有する管理サーバーへ問い合わせをもらえるように、また、識別番号を入力してもらえるように、何らかの特典をつけるのがよい。
【００７７】
管理サーバー１００の制御部１０１は、外部Ｉ／Ｆ１０５により、顧客端末４００から問い合わせや注文等の問い合わせ情報と識別情報を受信した場合には、制御部１０１は、外部Ｉ／Ｆ１０５により、ポスティング業務を依頼した企業端末２００と、その識別番号に対応する配布者端末３００へ成果報告情報を送信する（ＳＴＥＰ１０）。成果報告情報は、識別番号や、配布枚数や、問い合わせ情報を含む。
【００７８】
管理サーバー１００の制御部１０１は、当該成果報告情報に基づいて、配布枚数、成果率（問い合わせ又は注文）、獲得報酬、及び、これら成果を数値化したランキング等を算出し、配布者情報記憶エリアの配布者情報の「実績（配布枚数、成果率（問い合わせ又は注文）、獲得報酬、及び、これら成果を数値化したランキング等）」を更新してもよい。
【００７９】
管理サーバー１００の制御部１０１は、このランキング等の実績を配布者端末３００へ送信したり、すべての配布者端末や企業端末に送信したりして公表してもよい。これにより、配布者のモチベーションアップにつながる。
【００８０】
企業端末２００と配布者端末３００は、各々の操作パネル２０６、３０６に成果報告情報を表示する。これにより、配布者も自身の成果を確認することが可能となり、成果報酬も互いに納得がゆくことになる。
【００８１】
企業端末２００は、成果報告情報の配布枚数や業務依頼情報の報酬額に基づいて報酬額を算出し、当該報酬額を配布者端末３００へ送信する（ＳＴＥＰ１１）。その後、企業は配布者（ランナー、高齢者等）に対し、成果に応じた報酬を支払う。報酬は例えば、問い合わせ１件500円、契約成立（注文）で1万円としてもよい。
【００８２】
以上説明したように、実施形態のポスティング業務仲介システム、管理サーバー、端末、及び、方法によれば、成果に対する報酬とすることにより、配布者が創意工夫を行う動機づけが生じるため、ポスティングの費用対効果が増大する。
【００８３】
また、実施形態のポスティング業務仲介システム、管理サーバー、端末、及び、方法によれば、成果報告が企業と配布者の双方になされる（ＳＴＥＰ１０の成果報告）ため、配布者も自身の成果を確認することが可能となる。これにより、成果報酬も互いに納得がゆくことになる。
【００８４】
また、実施形態のポスティング業務仲介システム、管理サーバー、端末、及び、方法によれば、ランナー、高齢者等の配布者がスマホから気楽に申し込めるため、健康づくりのついでにチラシ配りをすることができる。さらに、成果報酬であることから配布のノルマもないため、この点からも気楽に申し込みをすることができる。
【００８５】
また、実施形態のポスティング業務仲介システム、管理サーバー、端末、及び、方法によれば、管理サーバー１００は、ポスティング作業の仲介をするだけなので、チラシ印刷や報酬支払等の実作業に関与しない。したがって、ポスティング業務仲介事業の運営者は、運営を省力化できるとともに、実作業は、企業がするので、ポスティング業務を依頼する企業にとってもポスティング作業をコストダウンできるメリットがある。
【００８６】
以上、実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００８７】
１      ポスティング業務仲介システム
１００  管理サーバー
１０２  ＣＰＵ
１０３  ＲＯＭ
１０４  ＲＡＭ
１０５  外部Ｉ／Ｆ
２００  企業端末
３００  配布者端末
４００  顧客端末
【要約】
【課題】  ポスティングの効果を高めることが可能なポスティング業務仲介システムを提供する。
【解決手段】  企業端末は、管理サーバーへ業務依頼情報を送信し、管理サーバーは、当該業務依頼情報を、管理サーバーに予め記憶された配布者端末に送信し、配布者端末は、業務依頼情報を配布者端末の操作パネルに表示し、配布者端末は、配布者により選択された業務選択情報を管理サーバーに送信し、管理サーバーは、企業端末へ配布者端末の識別情報を含む配布者情報を送信し、顧客端末は、顧客端末の操作パネルから入力された問い合わせ情報と当該チラシに付された識別情報とを管理サーバーに送信し、管理サーバーは、企業端末と識別情報に対応する配布者端末とに成果報告情報を送信し、企業端末は、成果報告情報に基づいて報酬額を算出し、当該報酬額を識別情報に対応する配布者端末へ送信する。
【選択図】  図１【図１】
0006714180.tif 000002
【図２】
0006714180.tif 000003
【図３】
0006714180.tif 000004
【図４】
0006714180.tif 000005
【図５】
0006714180.tif 000006
【図６】
0006714180.tif 000007
【図７】
0006714180.tif 000008
【図８】
0006714180.tif 000009
【図９】
0006714180.tif 000010
【図１０】
0006714180.tif 000011
【図１１】
0006714180.tif 000012